(57)【要約】【課題】  ユーザに適切な設備を推奨することを可能とする客体推奨システム及び客体推奨方法を提供する。【解決手段】  客体推奨システムは、ユーザの音声を受け付けるインタフェースを有するゲートウェイ装置と、施設に設けられる設備の使用結果に関する実績情報を収集する収集装置と、前記ゲートウェイ装置によって受け付けられる音声の収集結果に関する会話情報及び前記実績情報に基づいて、前記ユーザに推奨する推奨客体に関する検索条件を設定する客体推奨装置とを備える。前記客体推奨装置は、前記検索条件を用いて検索された前記推奨客体に関する推奨客体情報を出力する。【選択図】  図３
2019079300.tif 000002
【特許請求の範囲】
【請求項１】
ユーザの音声を受け付けるインタフェースを有するゲートウェイ装置と、
施設に設けられる設備の使用結果に関する実績情報を収集する収集装置と、
前記ゲートウェイ装置によって受け付けられる音声の収集結果に関する会話情報及び前記実績情報に基づいて、前記ユーザに推奨する推奨客体に関する検索条件を設定する客体推奨装置とを備え、
前記客体推奨装置は、前記検索条件を用いて検索された前記推奨客体に関する推奨客体情報を出力する、客体推奨システム。
【請求項２】
前記客体推奨装置は、前記施設の消費電力量を示す情報を含む前記実績情報を取得する、請求項１に記載の客体推奨システム。
【請求項３】
前記客体推奨装置は、前記会話情報に基づいて、前記推奨客体と代替される対象客体を特定する、請求項１又は請求項２に記載の客体推奨システム。
【請求項４】
前記客体推奨装置は、前記推奨客体と前記対象客体との比較結果を含む前記推奨客体情報を出力する、請求項３に記載の客体推奨システム。
【請求項５】
前記比較結果は、消費電力量の比較結果及び所要電気料金の比較結果の少なくともいずれか１つを含む、請求項４に記載の客体推奨システム。
【請求項６】
前記ゲートウェイ装置は、２以上のユーザについて前記会話情報を個別に収集し、
前記客体推奨装置は、前記２以上のユーザについて個別に収集される前記会話情報に基づいて前記検索条件を設定する、請求項１乃至請求項５のいずれかに記載の客体推奨システム。
【請求項７】
前記客体推奨装置は、前記推奨客体の識別情報及び前記推奨客体の価格情報の少なくともいずれかを含む前記推奨客体情報を出力する、請求項１乃至請求項６のいずれかに記載の客体推奨システム。
【請求項８】
前記客体推奨装置は、前記ゲートウェイ装置である、請求項１乃至請求項７のいずれかに記載の客体推奨システム。
【請求項９】
前記客体推奨装置は、前記収集装置である、請求項１乃至請求項７のいずれかに記載の客体推奨システム。
【請求項１０】
前記客体推奨装置は、電子商取引によって商品を販売する電子商取引サーバである、請求項１乃至請求項７のいずれかに記載の客体推奨システム。
【請求項１１】
ユーザの音声の収集結果に関する会話情報をゲートウェイ装置から取得するとともに、施設に設けられる設備の使用結果に関する実績情報を取得する取得部と、
前記会話情報及び前記実績情報に基づいて、前記ユーザに推奨する推奨客体に関する検索条件を設定する制御部とを備え、
前記制御部は、前記検索条件を用いて検索された前記推奨客体に関する推奨客体情報を出力する、客体推奨装置。
【請求項１２】
ゲートウェイ装置によって受け付けられるユーザの音声の収集結果に関する会話情報を取得するステップＡと、
施設に設けられる設備の使用結果に関する実績情報を収集するステップＢと、
前記会話情報及び前記実績情報に基づいて、前記ユーザに推奨する推奨客体に関する検索条件を設定するステップＣと、
前記検索条件を用いて検索された前記推奨客体に関する推奨客体情報を出力するステップＤとを備える、客体推奨方法。
【発明の詳細な説明】
【技術分野】
【０００１】
本発明は、客体推奨システム及び客体推奨方法に関する。
【背景技術】
【０００２】
電子商取引において、ユーザに商品を推奨するシステムが提案されている。具体的には、ユーザのアクセス履歴及び購入履歴に基づいて、ユーザに推奨する商品に関する条件が設定される（例えば、特許文献１）。
【先行技術文献】
【特許文献】
【０００３】
【特許文献１】特開２０１４−１６４４４７号公報
【発明の概要】
【発明が解決しようとする課題】
【０００４】
ところで、商品としては、施設に設置される設備（例えば、分散電源、家電など）が考えられる。このような設備については、ユーザの使用態様によって消費電力等が大幅に異なる可能性がある。従って、アクセス履歴及び購入履歴だけでは、適切な設備を推奨することができない可能性がある。
【０００５】
そこで、本発明は、上述した課題を解決するためになされたものであり、ユーザに適切な設備を推奨することを可能とする客体推奨システム及び客体推奨方法を提供することを目的とする。
【課題を解決するための手段】
【０００６】
第１の開示に係る客体推奨システムは、ユーザの音声を受け付けるインタフェースを有するゲートウェイ装置と、施設に設けられる設備の使用結果に関する実績情報を収集する収集装置と、前記ゲートウェイ装置によって受け付けられる音声の収集結果に関する会話情報及び前記実績情報に基づいて、前記ユーザに推奨する推奨客体に関する検索条件を設定する客体推奨装置とを備える。前記客体推奨装置は、前記検索条件を用いて検索された前記推奨客体に関する推奨客体情報を出力する。
【０００７】
第２の開示に係る客体推奨装置は、ユーザの音声の収集結果に関する会話情報をゲートウェイ装置から取得するとともに、施設に設けられる設備の使用結果に関する実績情報を取得する取得部と、前記会話情報及び前記実績情報に基づいて、前記ユーザに推奨する推奨客体に関する検索条件を設定する制御部とを備える。前記制御部は、前記検索条件を用いて検索された前記推奨客体に関する推奨客体情報を出力する。
【０００８】
第３の開示に係る客体推奨方法は、ゲートウェイ装置によって受け付けられるユーザの音声の収集結果に関する会話情報を取得するステップＡと、施設に設けられる設備の使用結果に関する実績情報を収集するステップＢと、前記会話情報及び前記実績情報に基づいて、前記ユーザに推奨する推奨客体に関する検索条件を設定するステップＣと、前記検索条件を用いて検索された前記推奨客体に関する推奨客体情報を出力するステップＤとを備える。
【発明の効果】
【０００９】
一態様によれば、ユーザに適切な設備を推奨することを可能とする客体推奨システム及び客体推奨方法を提供することができる。
【図面の簡単な説明】
【００１０】
【図１】図１は、実施形態に係る客体推奨システム１００を示す図である。
【図２】図２は、実施形態に係る設備管理装置２００を示す図である。
【図３】図３は、実施形態に係る客体推奨装置６００を示す図である。
【図４】図４は、実施形態に係る会話情報の一例を示す図である。
【図５】図５は、実施形態に係る実績情報の一例を示す図である。
【図６】図６は、実施形態に係る客体推奨方法を示す図である。
【図７】図７は、実施形態に係る客体推奨方法を示す図である。
【図８】図８は、実施形態に係る客体推奨方法を示す図である。
【発明を実施するための形態】
【００１１】
以下において、実施形態について図面を参照しながら説明する。なお、以下の図面の記載において、同一又は類似の部分には、同一又は類似の符号を付している。
【００１２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１３】
［実施形態］
（客体推奨システム）
以下において、実施形態に係る客体推奨システムについて説明する。図１に示すように、客体推奨システム１００は、設備管理装置２００と、施設３００と、ＥＣサーバ５００を有する。図１では、施設３００として、施設３００Ａ〜施設３００Ｃが例示されている。設備管理装置２００、施設３００及びＥＣ（Ｅｌｅｃｔｒｉｃ  Ｃｏｍｍｅｒｃｅ）サーバ５００は、ネットワーク１２０に接続されている。ネットワーク１２０は、設備管理装置２００と施設３００との間の回線、設備管理装置２００とＥＣサーバ５００との間の回線、施設３００とＥＣサーバ５００との間の回線を提供すればよい。例えば、ネットワーク１２０は、インターネットである。ネットワーク１２０は、ＶＰＮなどの専用回線を提供してもよい。
【００１４】
設備管理装置２００は、施設３００に設けられる設備３１０を管理する。設備管理装置２００は、施設３００に設けられる設備３１０の使用結果に関する実績情報を収集する収集装置の一例である。設備管理装置２００の詳細については後述する（図２を参照）。
【００１５】
施設３００は、設備３１０、ＥＭＳ３２０及びゲートウェイ装置３３０を有する。設備３１０は、電力系統１１０に接続される。設備３１０は、電力系統１１０から解列された状態で分散電源から供給される電力を消費していてもよい。設備３１０は、電力系統１１０から供給される電力を消費してもよい。設備３１０は、発電を行う発電設備であってもよい。発電設備は、太陽光、風力又は地熱などの自然エネルギーを利用して発電を行う設備であってもよい。発電設備は、燃料電池装置であってもよい。設備３１０は、蓄電池装置であってもよい。設備３１０は、電力を消費する負荷設備であってもよい。負荷設備は、空調設備であってもよく、照明設備であってもよい。施設３００は、２種類以上の設備３１０を有してもよい。施設３００は、同種の設備３１０を複数有していてもよい。
【００１６】
ＥＭＳ３２０は、施設３００における電力を示す電力情報を管理する装置（ＥＭＳ；Ｅｎｅｒｇｙ  Ｍａｎａｇｅｍｅｎｔ  Ｓｙｓｔｅｍ）である。施設３００における電力とは、施設３００内を流れる電力、施設３００が買電する電力、又は施設３００から売電する電力である。
【００１７】
ゲートウェイ装置３３０は、ユーザの音声を受け付けるインタフェースを有する。インタフェースは、音声入力インタフェースを含む。インタフェースは、音声出力インタフェースを含んでもよい。ゲートウェイ装置３３０は、ＡＩ（Ａｒｔｉｆｉｃｉａｌ  Ｉｎｔｅｌｌｉｇｅｎｃｅ）機能を有しており、ＡＩ機能は、音声の収集結果を解析する機能を有しており、解析結果に基づいて各種動作を行う。各種動作は、ネットワーク１２０を介して接続されるサーバから情報を取得する動作を含んでもよく、ネットワーク１２０を介して接続されるサーバから取得される情報を出力する動作を含んでもよい。サーバは、設備管理装置２００であってもよく、ＥＣサーバ５００であってもよい。各種動作は、インタフェースに入力される音声に基づいた制御コマンドを送信する動作を含んでもよく、制御コマンドに対する応答コマンドを受信する動作を含んでもよい。ゲートウェイ装置３３０は、ＥＭＳ３２０を介して設備３１０に制御コマンドを送信してもよく、ＥＭＳ３２０を介さずに設備３１０に制御コマンドを送信してもよい。ゲートウェイ装置３３０は、スマートスピーカ又はＡＩと称されてもよい。また、ゲートウェイ装置３３０は、ユーザが所有する携帯端末、自動車等に搭載されていてもよい。また、ゲートウェイ装置３３０は、施設３００に固定される装置ではなく、ユーザが携帯可能な装置であってもよい。
【００１８】
ここで、客体推奨システム１００は、電力管理サーバを有していてもよい。例えば、電力管理サーバは、電力系統１１０から施設３００に対する潮流量の制御を要求する潮流制御メッセージ、施設３００から電力系統１１０に対する逆潮流量の制御を要求する逆潮流制御メッセージ、施設３００に設けられる設備３１０（分散電源）の制御を要求する電源制御メッセージなどを施設３００に送信する。
【００１９】
ＥＣサーバ５００は、電子商取引を行うためのウェブサイトを提供する。ＥＣサーバ５００は、設備３１０に関する情報（設備３１０の識別情報、設備３１０のメーカ情報、設備３１０の価格情報、設備３１０の特徴情報、設備３１０の販売元情報など）を提供する。
【００２０】
（設備管理装置）
以下において、実施形態に係る設備管理装置について説明する。図２に示すように、設備管理装置２００は、管理部２１０と、通信部２２０と、制御部２３０とを有する。
【００２１】
管理部２１０は、不揮発性メモリ又は／及びＨＤＤなどの記憶媒体によって構成されており、複数の施設３００に関する情報を管理する。管理部２１０は、施設３００に設けられる設備３１０の使用結果に関する実績情報を管理する。実績情報は、施設３００の消費電力量を示す情報を含んでもよい。実績情報は、施設３００に設けられる設備３１０の消費電力量を示す情報を含んでもよい。実績情報は、施設３００に設けられる設備３１０の運転履歴を含んでもよい。
【００２２】
通信部２２０は、通信モジュールによって構成されており、ネットワーク１２０を介して施設３００と通信を行う。例えば、通信部２２０は、実績情報をＥＭＳ３２０から受信する。通信部２２０は、施設３００に電力系統１１０から供給される電力量を所定時間（例えば、３０分）毎に受信してもよい。通信部２２０は、施設３００に設けられる設備３１０の消費電力量を所定時間（例えば、３０分）毎に受信してもよい。施設３００に設けられる設備３１０の消費電力量は、施設３００に電力系統１１０から供給される電力量の内訳である。通信部２２０は、施設３００に電力系統１１０から供給される電力量を施設３００に設けられるスマートメータから受信してもよい。通信部２２０は、設備３１０の運転履歴をＥＭＳ３２０から受信してもよい。
【００２３】
制御部２３０は、メモリ及びＣＰＵなどによって構成されており、設備管理装置２００に設けられる各構成を制御する。例えば、制御部２３０は、設備３１０を制御するＥＭＳ３２０から実績情報を収集する。制御部２３０は、自発的にＥＭＳ３２０から送信される実績情報を収集してもよく、ＥＭＳ３２０に対する要求に応じてＥＭＳ３２０から送信される実績情報を収集してもよい。
【００２４】
（客体推奨装置）
以下において、実施形態に係る客体推奨装置について説明する。客体推奨装置６００は、ゲートウェイ装置３３０に設けられてもよく、設備管理装置２００に設けられてもよく、ＥＣサーバ５００に設けられてもよい。図３に示すように、客体推奨装置６００は、インタフェース６１０と、制御部６２０を有する。
【００２５】
インタフェース６１０は、ゲートウェイ装置３３０によって受け付けられる音声の収集結果に関する会話情報を取得する。インタフェース６１０は、施設３００に設けられる設備３１０の使用結果に関する実績情報を取得する。すなわち、実施形態では、インタフェース６１０は、会話情報及び実績情報を取得する取得部を構成する。インタフェース３１０は、会話情報又は実績情報を外部装置から取得する場合において、通信モジュールなどの外部インタフェースによって構成されてもよい。インタフェース３１０は、会話情報又は実績情報を内部装置から取得する場合において、コネクタピンなどの内部インタフェースによって構成されてもよい。
【００２６】
制御部６２０は、メモリ及びＣＰＵなどによって構成されており、客体推奨装置６００に設けられる各構成を制御する。また、制御部６２０は、メモリ及びＣＰＵなどによって記憶されているプログラムを実行することで、客体推奨装置６００に設けられる各構成を制御してもよい。実施形態において、制御部６２０は、以下に示す制御を行う。
【００２７】
第１に、制御部６２０は、会話情報及び実績情報に基づいて、ユーザに推奨する推奨客体に関する検索条件を設定する。制御部６２０は、会話情報に基づいてユーザのプリファレンスを特定し、特定されたプリファレンスに基づいて検索条件を設定してもよい。制御部６２０は、会話情報に基づいて、推奨客体と代替される対象客体を特定してもよい。制御部６２０は、実績情報に基づいてユーザの行動実績を特定し、特定された行動実績に基づいて検索条件を設定してもよい。
【００２８】
ここで、客体とは、ユーザに提供されるものを表す用語として用いられており、有体物であってもよく、無体物であってもよい。例えば、客体は、製品及びサービスの少なくともいずれか１つを示す用語として用いる。製品は、エアコンなどの設備を含んでもよく、サービスは、電気料金プラン及び設備の動作モードなどを含んでもよい。
【００２９】
例えば、図４に示すように、会話情報は、「電気代が高い」、「エアコンの効きが悪い」などの情報である。会話情報は、２以上のユーザについて個別に収集されてもよい。プリファレンスは、省エネ重視、価格重視、性能重視などである。制御部６２０は、「電気代が高い」という会話情報に基づいて、プリファレンスが省エネ重視であることを特定してもよい。制御部６２０は、「エアコンの効きが悪い」という会話情報に基づいて、プリファレンスが性能重視であることを特定してもよい。制御部６２０は、「エアコンの効きが悪い」という会話情報に基づいて、エアコンを交換するニーズがあることを特定してもよい。言い換えると、制御部６２０は、推奨客体と交換される対象客体としてエアコンを特定してもよい。
【００３０】
例えば、図５に示すように、実績情報は、施設３００の消費電力量を含んでもよく、施設３００の電気料金を含んでもよい。実績情報は、設備３１０毎の消費電力量を含んでもよく、設備３１０毎の電気料金を含んでもよい。実績情報は、設備３１０毎の運転履歴を含んでもよい。電気料金は、ＥＭＳ３２０から受信してもよいが、消費電力量に基づいて算出されてもよい。制御部６２０は、施設３００の消費電力量又は電気料金に基づいて、施設３００のユーザの行動パターンを特定してもよい。行動パターンは、朝型、夜型、昼型などである。制御部６２０は、消費電力量又は電気料金が多い時間帯にユーザが活動していると想定することが可能であるため、行動パターンを特定することができる。制御部６２０は、設備３１０の消費電力量又は電気料金に基づいて、設備３１０の使用パターンを特定してもよい。制御部６２０は、設備３１０の運転履歴に基づいて、設備３１０の使用パターンを特定してもよい。
【００３１】
第２に、制御部６２０は、ＥＣサーバ５００によって提供されるウェブサイトにアクセスし、検索条件に合致する推奨客体を特定する。制御部６２０は、検索条件を用いて検索された推奨客体に関する推奨客体情報を出力する。
【００３２】
制御部６２０は、推奨客体と対象客体との比較結果を含む推奨客体情報を出力してもよい。比較結果は、消費電力量の比較結果及び所要電気料金の比較結果の少なくともいずれか１つを含んでもよい。制御部６２０は、推奨客体の識別情報及び推奨客体の価格情報の少なくともいずれかを含む推奨客体情報を出力してもよい。
【００３３】
（客体推奨方法）
以下において、実施形態に係る客体推奨方法について説明する。
【００３４】
第１に、客体推奨装置６００がゲートウェイ装置３３０に設けられるケースについて図６を参照しながら説明する。
【００３５】
ステップＳ１０において、設備管理装置２００は、施設３００に設けられる設備３１０の使用結果に関する実績情報を収集する。
【００３６】
ステップＳ１１において、ユーザの音声がゲートウェイ装置３３０に入力される。ここで入力される音声は、日常会話の音声であってもよい。
【００３７】
ステップＳ１２において、ゲートウェイ装置３３０は、音声の収集結果に関する会話情報を収集する。
【００３８】
ステップＳ１３において、ユーザの音声がゲートウェイ装置３３０に入力される。ここで入力される音声は、明示的な購入希望（例えば、「エアコンを買い換えたい」など）の音声であってもよく、暗示的な購入希望（例えば、「エアコンの調子が悪い」など）の音声であってもよい。
【００３９】
ステップＳ２１において、ゲートウェイ措置３３０は、実績情報を要求するメッセージ（実績情報要求）を設備管理装置２００に送信する。
【００４０】
ステップＳ２２において、ゲートウェイ装置３３０は、実績情報を含むメッセージ（実績情報応答）を設備管理装置２００から受信する。
【００４１】
ステップＳ２３において、ゲートウェイ装置３３０は、会話情報及び実績情報に基づいて、ユーザに推奨する推奨客体に関する検索条件を設定する。
【００４２】
ステップＳ２４において、ゲートウェイ装置３３０は、検索条件に合致する設備の情報を要求するメッセージ（検索要求）をＥＣサーバ５００に送信する。
【００４３】
ステップＳ２５において、ゲートウェイ装置３３０は、検索条件に合致する設備の情報を含むメッセージ（検索応答）をＥＣサーバ５００から受信する。
【００４４】
ステップＳ２６において、ゲートウェイ装置３３０は、推奨客体情報を出力する。推奨客体情報は音声で出力されてもよい。
【００４５】
また、ゲートウェイ装置３３０は、推奨客体情報を含むメッセージ（推奨客体応答）をＥＣサーバ５００に送信してもよい。この場合、ＥＣサーバ５００は、推奨客体情報を含むメッセージ（推奨客体応答）を出力してもよい。これにより、ＥＣサーバ５００は、ユーザに推奨客体情報を提示することができる。
【００４６】
第２に、客体推奨装置６００が設備管理装置２００に設けられるケースについて図７を参照しながら説明する。図７において、ステップＳ１０〜ステップＳ１３は図６と同様であるため、これらのステップの説明については省略する。
【００４７】
ステップＳ３１において、ゲートウェイ装置３３０は、推奨客体情報を要求するメッセージ（推奨客体要求）を設備管理装置２００に送信する。
【００４８】
ステップＳ３２において、設備管理装置２００は、会話情報を要求するメッセージ（会話情報要求）をゲートウェイ装置３３０に送信する。
【００４９】
ステップＳ３３において、設備管理装置２００は、会話情報を含むメッセージ（会話情報応答）をゲートウェイ装置３３０から受信する。
【００５０】
ステップＳ３４において、設備管理装置２００は、会話情報及び実績情報に基づいて、ユーザに推奨する推奨客体に関する検索条件を設定する。
【００５１】
ステップＳ３５において、設備管理装置２００は、検索条件に合致する設備の情報を要求するメッセージ（検索要求）をＥＣサーバ５００に送信する。
【００５２】
ステップＳ３６において、設備管理装置２００は、検索条件に合致する設備の情報を含むメッセージ（検索応答）をＥＣサーバ５００から受信する。
【００５３】
ステップＳ３７において、設備管理装置２００は、推奨客体情報を含むメッセージ（推奨客体応答）をゲートウェイ装置３３０に送信する。
【００５４】
ステップＳ３８において、ゲートウェイ装置３３０は、推奨客体情報を出力する。推奨客体情報は音声で出力されてもよい。
【００５５】
また、設備管理装置２００は、推奨客体情報を含むメッセージ（推奨客体応答）をＥＣサーバ５００に送信してもよい。この場合、ＥＣサーバ５００は、推奨客体情報を含むメッセージ（推奨客体応答）を出力してもよい。これにより、ＥＣサーバ５００は、ユーザに推奨客体情報を提示することができる。
【００５６】
第３に、客体推奨装置６００がＥＣサーバ５００に設けられるケースについて図８を参照しながら説明する。図８において、ステップＳ１０〜ステップＳ１３は図６と同様であるため、これらのステップの説明については省略する。
【００５７】
ステップＳ４１において、ゲートウェイ装置３３０は、推奨客体情報を要求するメッセージ（推奨客体要求）をＥＣサーバ５００に送信する。
【００５８】
ステップＳ４２において、ＥＣサーバ５００は、会話情報を要求するメッセージ（会話情報要求）をゲートウェイ装置３３０に送信する。
【００５９】
ステップＳ４３において、ＥＣサーバ５００は、会話情報を含むメッセージ（会話情報応答）をゲートウェイ装置３３０から受信する。
【００６０】
ステップＳ４４において、ＥＣサーバ５００は、実績情報を要求するメッセージ（実績情報要求）を設備管理装置２００に送信する。
【００６１】
ステップＳ４５において、ＥＣサーバ５００は、実績情報を含むメッセージ（実績情報応答）を設備管理装置２００から受信する。
【００６２】
ステップＳ４６において、ＥＣサーバ５００は、会話情報及び実績情報に基づいて、ユーザに推奨する推奨客体に関する検索条件を設定する。ＥＣサーバ５００は、検索条件に合致する設備を検索する。
【００６３】
ステップＳ４７において、ＥＣサーバ５００は、推奨客体情報を含むメッセージ（推奨客体応答）をゲートウェイ装置３３０に送信する。
【００６４】
ステップＳ４８において、ゲートウェイ装置３３０は、推奨客体情報を出力する。推奨客体情報は音声で出力されてもよい。
【００６５】
また、ＥＣサーバ５００は、推奨客体情報を含むメッセージ（推奨客体応答）を出力してもよい。これにより、ＥＣサーバ５００は、ユーザに推奨客体情報を提示することができる。
【００６６】
（作用及び効果）
実施形態では、客体推奨装置６００は、会話情報に加えて、実績情報に基づいて、ユーザに推奨する推奨客体に関する検索条件を設定する。このような構成によれば、ユーザのプリファレンスだけではなく、ユーザの行動パターン又は設備３１０の使用パターンに基づいて検索条件が設定される。従って、ユーザの購入履歴又はアクセス履歴（すなわち、プリファレンス）に基づいて設備を推奨するケースと比べて、ユーザに適切な設備を推奨することができる。
【００６７】
［具体例］
例えば、実績情報は、部屋を自動で動くように構成されたロボット掃除機の移動履歴であってもよい。このような移動履歴によれば、客体推奨装置６００は、住居情報（部屋の間取り及び広さなど）を特定することができる。従って、客体推奨装置６００は、住居情報に応じて適切な推奨客体（例えば、エアコン又は除湿器）を推奨することができる。
【００６８】
例えば、会話情報は、ユーザの転居先情報（部屋の間取り及び広さなど）であってもよい。このような転居先情報によれば、客体推奨装置６００は、転居先で用いる推奨客体として、適切な推奨客体（例えば、エアコン又は除湿器）を推奨することができる。
【００６９】
例えば、客体推奨装置６００は、設備３１０のメーカが提供するウェブサイトから、設備３１０の性能に関する情報を取得してもよい。客体推奨装置６００は、会話情報及び実績情報に基づいて設備３１０の所望性能を特定し、設備３１０の性能に関する情報に基づいて、特定された所望性能を有する推奨客体を特定してもよい。
【００７０】
例えば、客体推奨装置６００は、実績情報をエリア毎に管理してもよい。客体推奨装置６００は、設備３１０を推奨すべきユーザの施設３００と同じエリアに属する施設３００に関する実績情報に基づいて推奨客体を特定してもよい。このような構成によれば、気温、湿度などの環境条件が同じであると推定される実績情報を用いることによって、設備３１０を推奨すべきユーザの施設３００に関する実績情報がなくても、適切な推奨客体（例えば、エアコン又は除湿器）を推奨することができる。
【００７１】
例えば、客体推奨装置６００は、会話情報が２以上のユーザについて個別に収集されるケースにおいて、ユーザについて個別に推奨客体を推奨してもよい。
【００７２】
例えば、客体推奨装置６００は、実績情報に基づいてユーザが未使用の機能を特定するとともに、未使用の機能の使用を推奨してもよい。具体的には、客体推奨装置６００は、会話情報に基づいてユーザのニーズを特定し、特定されたニーズに対応する未使用の機能を推奨してもよい。
【００７３】
例えば、客体推奨装置６００は、推奨客体に加えて、推奨客体に関連する他の設備を推奨してもよい。具体的には、客体推奨装置６００は、エアコンを推奨する場合に、エアコンと一緒に除湿器を推奨してもよい。
【００７４】
例えば、客体推奨装置６００は、推奨客体として、新モデルの設備３１０に加えて、旧モデルの設備３１０を推奨してもよい。このようなケースにおいて、客体推奨装置６００は、会話情報に基づいてユーザのプリファレンスが性能重視であると判定された場合に、新モデルの設備３１０を推奨し、会話情報に基づいてユーザのプリファレンスが価格重視であると判定された場合に、旧モデルの設備３１０を推奨してもよい。
【００７５】
例えば、客体推奨装置６００は、実績情報に基づいて特定された行動パターン（外食回数、就寝時間、起床時間など）に基づいて、行動パターンの変更を推奨してもよい。客体推奨装置６００は、行動パターンの変更によって得られる効果に関する情報（電気料金の抑制、生活習慣の改善）を出力してもよい。
【００７６】
例えば、会話情報は、咳などの音声を含んでもよい。このようなケースにおいて、客体推奨装置６００は、咳などの音声に基づいて除湿器を推奨してもよいし、近くの薬局を推奨してもよいし、近くの病院を推奨してもよい。
【００７７】
例えば、会話情報は、ユーザが発する主要言語、外国語、方言等の言語情報を含んでもよい。これにより、客体推奨装置６００は、ユーザの会話に対する相手に関する情報を特定し、アプリケーション（例えば、自動翻訳に関するアプリケーション）を推奨してもよい。
【００７８】
例えば、会話情報は、ユーザの位置情報を含んでもよい。ユーザが家電量販店にいる場合には、ユーザが所有する携帯端末に搭載され、ゲートウェイ装置３３０は、推奨客体情報を含むメッセージ（推奨客体応答）を出力してもよい。これにより、ユーザは、推奨客体または対象客体の実物を見ながら、推奨客体の購入を検討することができる。また、ゲートウェイ装置３３０が、自動車に搭載され、ユーザと共に移動している等の場合には、ゲートウェイ装置３３０は、推奨客体情報を含むメッセージ（推奨客体応答）を出力してもよい。これにより、ユーザは、自動車で移動しながらも、ユーザが必要としているであろう推奨客体を販売している販売店が、現在位置の近くに存在する等の情報を得ることができる。
【００７９】
例えば、対象客体及び推奨客体がエアコンであるケースについて考える。このようなケースにおいて、電気料金（又は消費電力）が同じである場合において、客体推奨装置６００は、既存エアコン（対象客体）の能力（例えば、設定温度又は風量）と推奨エアコン（推奨客体）の能力（例えば、設定温度又は風量）との比較結果を出力してもよい。例えば、このような比較結果は、エアコンが冷房として機能している場合に、既存エアコンが２８℃の送風を行うのに対して、推奨エアコンが２６℃の送風を行うことが可能であるという比較結果であってもよい。
【００８０】
［その他の実施形態］
本発明を上述した実施形態によって説明したが、この開示の一部をなす論述及び図面は、本発明を限定するものであると理解すべきではない。この開示から当業者には様々な代替実施形態、実施例及び運用技術が明らかとなろう。
【００８１】
実施形態では、客体がエアコンなどの設備（製品）であるケースについて主として説明した。しかしながら、客体は、上述したように、電気料金プラン及び設備の動作モードなどのサービスであってもよい。このようなケースにおいて、客体推奨装置６００（制御部６２０）は、プリファレンスが省エネ重視であることを特定した場合に、新たな電気料金プラン（例えば、低料金プラン）を推奨してもよく、新たな運転モード（例えば、省エネ運転モード）を推奨してもよい。或いは、客体推奨装置６００（制御部６２０）は、プリファレンスがＱｏＬ（Ｑｕａｌｉｔｙ  Ｏｆ  Ｌｉｆｅ）重視であることを特定した場合に、新たな電気料金プラン（例えば、高料金プラン）を推奨してもよく、新たな運転モード（例えば、快適重視運転モード）を推奨してもよい。ここで、低料金プランとは、施設３００で利用可能な電力量の上限が第１上限量である料金プランであってもよく、高料金プランとは、施設３００で利用可能な電力量の上限が第１上限量よりも大きい第２上限量である料金プランであってもよい。省エネ運転モードは、設備に設定可能な条件（温度、湿度など）を限定することによって設備の消費電力量を抑制する運転モードであってもよく、快適重視運転モードは、設備に設定可能な条件（温度、湿度など）をユーザが任意に設定可能な運転モードであってもよい。このような場合において、推奨客体は、新たな電気料金プラン及び新たな運転モードに相当し、対象客体は、現在の電気料金プラン及び現在の運転モードに相当する。
【００８２】
実施形態では、客体推奨装置６００は、ゲートウェイ装置３３０、設備管理装置２００又はＥＣサーバ５００に設けられるが、実施形態はこれに限定されるものではない。客体推奨装置６００は、ＥＭＳ３２０に設けられてもよい。このようなケースにおいて、ＥＭＳ３２０は、施設３００に設けられる設備３１０の使用結果に関する実績情報を収集する収集装置の一例であると考えてもよい。
【００８３】
実施形態では特に触れていないが、会話情報が２以上のユーザについて個別に収集されるケースにおいて、客体推奨装置６００は、施設３００のユーザの世帯構成を特定し、特定された世帯構成に基づいて検索条件を設定してもよい。
【００８４】
実施形態では特に触れていないが、推奨客体と対象客体との比較結果を含む推奨客体情報を出力するケースにおいて、客体推奨装置６００は、推奨客体のメーカが提供するウェブサイトから、推奨客体の消費電力量又は所要電気料金を取得してもよい。客体推奨装置６００は、推奨客体の消費電力量又は所要電気料金をＥＣサイト５００から取得してもよい。対象客体の消費電力又は所要電気料金は実績情報に基づいて特定可能である。
【００８５】
実施形態では、管理部２１０は、設備管理装置２００に設けられているが、実施形態はこれに限定されるものではない。管理部２１０は、設備管理装置２００とネットワーク１２０を介して接続されたサーバに設けられてもよい。
【００８６】
実施形態では特に触れていないが、設備管理装置２００が有する機能はクラウドサービスによって提供されてもよい。
【００８７】
実施形態では、設備３１０を制御する制御装置がＥＭＳ３２０である。しかしながら、実施形態はこれに限定されるものではない。制御装置は、設備３１０そのものであってもよい。制御装置は、設備３１０に対する制御コマンドを送信するリモートコントローラであってもよい。
【符号の説明】
【００８８】
１００…客体推奨システム、１１０…電力系統、１２０…ネットワーク、２００…設備管理装置、２１０…管理部、２２０…通信部、２３０…制御部、３００…施設、３１０…設備、３２０…ＥＭＳ、３３０…ゲートウェイ装置、５００…ＥＣサーバ、６００…客体推奨装置、６１０…インタフェース、６２０…制御部
【図１】
2019079300.tif 000003
【図２】
2019079300.tif 000004
【図３】
2019079300.tif 000005
【図４】
2019079300.tif 000006
【図５】
2019079300.tif 000007
【図６】
2019079300.tif 000008
【図７】
2019079300.tif 000009
【図８】
2019079300.tif 000010